【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】エネルギ搬送システム
【手続補正２】
【補正対象書類名】明細書
【補正対象項目名】特許請求の範囲
【補正方法】変更
【補正の内容】
【特許請求の範囲】
【請求項１】  複数のエネルギ生成装置と、
各エネルギ生成装置の排出手段に接続または排出手段及び取込手段に接続された水素配管と
を備えたエネルギ搬送システムにおいて、
前記エネルギ生成装置は、
水素が供給される発電手段と、
排熱を使用して熱媒体を加熱する加熱手段と、
発電の過程で生成される排水素を排出する排水素排出手段と、
発電手段へ供給される水素を排出する水素排出手段と、
排出された排水素又は水素を取込む取込手段と、
取込んだ排水素又は水素を加熱手段に供給する加熱用供給手段と、
取込んだ排水素又は水素を発電手段に供給する発電用供給手段と、
生成した電力を送電する送電手段及び電力を受電する受電手段の一方又は両方と、
加熱した熱媒体を排出する熱媒体排出手段及び熱媒体を取込む熱媒体取込手段の一方又は両方と、
発電の過程で生成される排水素を水素に精製する精製手段と、
精製手段が精製した水素を排出する排出手段と、
排熱を使用して熱媒体を加熱する加熱手段と
を有し、
各エネルギ生成装置の送電手段及び／又は受電手段に接続された送電線と、
各エネルギ生成装置の熱媒体排出手段及び／又は熱媒体取込手段に接続された熱媒体配管と、
水素配管に接続され、水素配管に水素を供給する水素供給装置と
を備えることを特徴とするエネルギ搬送システム。
【請求項２】  水素配管に接続され、排水素又は水素を貯蔵する貯蔵部を備えることを特徴とする請求項１記載のエネルギ搬送システム。
【手続補正３】
【補正対象書類名】明細書
【補正対象項目名】０００１
【補正方法】変更
【補正の内容】
【０００１】
【発明の属する技術分野】
本発明は、電力及び熱を生成するエネルギ生成装置間で電力及び／又は熱を搬送するエネルギ搬送システムに関する。
【手続補正４】
【補正対象書類名】明細書
【補正対象項目名】０００６
【補正方法】変更
【補正の内容】
【０００６】
本発明は斯かる事情に鑑みてなされたものであり、発電の過程で生成される排水素を排出する排出手段を備えることにより、加熱手段に供給して温水生成に使用したり、発電手段に供給して電力生成に使用できる排水素を供給することが可能な複数のエネルギ生成装置の排出手段及び取込手段を水素配管に接続することにより、エネルギ生成装置間で排水素又は水素を融通することが可能なエネルギ搬送システムを提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また、本発明は、エネルギ生成装置が生成した電力を送電する送電手段と、電力を受電する受電手段とを備えることにより、例えば送電手段及び受電手段を送電線に接続して、エネルギ生成装置間で電力を融通することが可能なエネルギ搬送システムを提供することを更に他の目的とする。
【手続補正１０】
【補正対象書類名】明細書
【補正対象項目名】００１２
【補正方法】変更
【補正の内容】
【００１２】
また、本発明は、エネルギ生成装置が加熱した熱媒体を排出する熱媒体排出手段と、熱媒体を取込む熱媒体取込手段とを備えることにより、例えば熱媒体排出手段及び熱媒体取込手段を熱媒体配管に接続して、エネルギ生成装置間で温水等の熱媒体を融通することが可能なエネルギ搬送システムを提供することを更に他の目的とする。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
また、本発明は、水素が供給される発電手段を含むエネルギ生成装置と水素を供給する水素供給装置とを分離することにより、エネルギ生成装置の導入コスト及び設置スペースを低減することが可能なエネルギ搬送システムを提供することを更に他の目的とする。
【手続補正１３】
【補正対象書類名】明細書
【補正対象項目名】００１６
【補正方法】変更
【補正の内容】
【００１６】
【課題を解決するための手段】
第１発明に係るエネルギ搬送システムは、複数のエネルギ生成装置と、各エネルギ生成装置の排出手段に接続または排出手段及び取込手段に接続された水素配管とを備えたエネルギ搬送システムにおいて、前記エネルギ生成装置は、水素が供給される発電手段と、排熱を使用して熱媒体を加熱する加熱手段と、発電の過程で生成される排水素を排出する排水素排出手段と、発電手段へ供給される水素を排出する水素排出手段と、排出された排水素又は水素を取込む取込手段と、取込んだ排水素又は水素を加熱手段に供給する加熱用供給手段と、取込んだ排水素又は水素を発電手段に供給する発電用供給手段と、生成した電力を送電する送電手段及び電力を受電する受電手段の一方又は両方と、加熱した熱媒体を排出する熱媒体排出手段及び熱媒体を取込む熱媒体取込手段の一方又は両方と、発電の過程で生成される排水素を水素に精製する精製手段と、精製手段が精製した水素を排出する排出手段と、排熱を使用して熱媒体を加熱する加熱手段とを有し、各エネルギ生成装置の送電手段及び／又は受電手段に接続された送電線と、各エネルギ生成装置の熱媒体排出手段及び／又は熱媒体取込手段に接続された熱媒体配管と、水素配管に接続され、水素配管に水素を供給する水素供給装置とを備えることを特徴とする。
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】変更
【補正の内容】
【００３０】
第２発明に係るエネルギ搬送システムは、第１発明において、水素配管に接続され、排水素又は水素を貯蔵する貯蔵部を備えることを特徴とする。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】変更
【補正の内容】
【００３９】
第１発明においては、エネルギ生成装置の排出手段及び取込手段を水素配管に接続することにより、例えば、排水素又は水素を要求しているエネルギ生成装置に対し、他のエネルギ生成装置から排水素又は水素を供給することが可能である。水素配管に接続されたエネルギ生成装置間で排水素又は水素を融通し合うことが可能である。排水素又は水素は、加熱用供給手段又は発電用供給手段によって加熱手段又は発電手段に供給し、熱媒体の加熱又は発電に使用することが可能である。
また、エネルギ生成装置が生成した電力を送電手段によって送電したり、電力を受電手段によって受電する。例えば、送電手段及び受電手段を送電線に接続することにより、電力を要求しているエネルギ生成装置に対し、他のエネルギ生成装置から電力を供給することが可能である。送電線に接続されたエネルギ生成装置間で電力を融通し合うことが可能である。
さらに、エネルギ生成装置が加熱した温水等の熱媒体を熱媒体排出手段によって排出したり、熱媒体を熱媒体取込手段によって取込む。例えば、熱媒体排出手段及び熱媒体取込手段を温水配管等の熱媒体配管に接続することにより、温水等の熱媒体を要求しているエネルギ生成装置に対し、他のエネルギ生成装置から温水を供給することが可能である。温水配管に接続されたエネルギ生成装置間で熱媒体を融通し合うことが可能である。
【手続補正３７】
【補正対象書類名】明細書
【補正対象項目名】００４０
【補正方法】変更
【補正の内容】
【００４０】
さらに、水素供給装置とエネルギ生成装置の取込手段とが水素配管に接続されており、水素供給装置からエネルギ生成装置に水素を供給する。例えば、１台の水素供給装置から複数のエネルギ生成装置に水素を供給することが可能である。例えばマンションなどの集合住宅においては、１台の水素供給装置から複数のエネルギ生成装置に水素を供給することにより、エネルギ生成装置の導入コスト及び設置スペースを低減できる。また、エネルギ生成装置の排出手段を水素配管に接続することにより、発電時に生じた排水素を精製手段で精製した水素（浄化水素）を水素配管に供給することが可能になる。余剰水素を、水素配管に接続された他のエネルギ生成装置に供給することが可能になる。
【手続補正３８】
【補正対象書類名】明細書
【補正対象項目名】００４１
【補正方法】変更
【補正の内容】
【００４１】
第２発明においては、水素配管に、排水素又は水素を貯蔵する貯蔵部が設けられている。各エネルギ生成装置から排出される余剰水素などを貯蔵部に貯蔵することが可能である。また、水素配管に接続されたエネルギ装置は、貯蔵部に貯蔵された排水素又は水素を取込んで発電に使用でき、水素供給装置の応答遅れなどを補償することが可能である。
【手続補正３９】
【補正対象書類名】明細書
【補正対象項目名】００７１
【補正方法】変更
【補正の内容】
【００７１】
【発明の効果】
第１発明によれば、エネルギ生成装置の排出手段及び取込手段を水素配管に接続することにより、排水素又は水素を水素配管に排出したり、水素配管から排水素又は水素を取込むことが可能である。水素配管に接続されたエネルギ生成装置が排水素を要求した場合、他のエネルギ生成装置から排水素を供給できるため、温水の生成に使用できる水素をエネルギ生成装置間で融通し合ったり、電力の生成に使用できる水素をエネルギ生成装置間で融通し合うことが可能になる。
【手続補正４０】
【補正対象書類名】明細書
【補正対象項目名】００７２
【補正方法】削除
【補正の内容】
【手続補正４１】
【補正対象書類名】明細書
【補正対象項目名】００７３
【補正方法】削除
【補正の内容】
【手続補正４２】
【補正対象書類名】明細書
【補正対象項目名】００７４
【補正方法】変更
【補正の内容】
【００７４】
また、エネルギ生成装置の送電手段及び受電手段を送電線に接続した場合、エネルギ生成装置が生成した電力を送電手段から送電したり、受電手段によって送電線から電力を受電することが可能である。送電線に接続されたエネルギ生成装置が電力を要求した場合、他のエネルギ生成装置から電力を供給できるため、温水を使用して電力を使用しないときに、使用しない電力を他のエネルギ生成装置へ供給することが可能になる。
【手続補正４３】
【補正対象書類名】明細書
【補正対象項目名】００７５
【補正方法】変更
【補正の内容】
【００７５】
さらに、エネルギ生成装置の熱媒体排出手段及び熱媒体取込手段を温水配管等の熱媒体配管に接続した場合、エネルギ生成装置が加熱した温水等の熱媒体を、熱媒体排出手段から温水配管へ排出したり、熱媒体取込手段によって温水配管から温水を取込むことが可能である。温水配管に接続されたエネルギ生成装置が温水を要求した場合、他のエネルギ生成装置から温水を供給できるため、電力を使用して温水を使用しないときに、使用しない温水を他のエネルギ生成装置へ供給することが可能になる。
【手続補正４４】
【補正対象書類名】明細書
【補正対象項目名】００７６
【補正方法】変更
【補正の内容】
【００７６】
また、水素が供給される発電手段と水素を供給する水素供給装置とを分離することにより、例えば１台の水素供給装置から複数のエネルギ生成装置（発電手段）に水素を供給することが可能となり、エネルギ生成装置の導入コスト及び設置スペースを低減できる。また、複数台のエネルギ生成装置（発電手段）に対し、水素供給装置は１台であるため、水素供給装置は高効率で稼動し、システム全体の効率を向上させることが可能である。
【手続補正４５】
【補正対象書類名】明細書
【補正対象項目名】００７７
【補正方法】変更
【補正の内容】
【００７７】
第２発明によれば、排水素又は水素を貯蔵する貯蔵部を水素配管に設けることにより、水素配管に接続されたエネルギ生成装置の余剰水素を貯蔵したり、水素の不足分を補うことが可能である。また、排水素又は水素を貯蔵する貯蔵部をエネルギ生成装置に備えることにより、水素又は排水素の排出時又は取込時の流体の応答速度変動又は圧力変動などを補償することが可能である。
【手続補正４６】
【補正対象書類名】明細書
【補正対象項目名】００７８
【補正方法】削除
【補正の内容】